(57)【特許請求の範囲】
【請求項１】
装置本体と、前記装置本体の底面の下部に設けられ、水配管と接続される接続口と、前記装置本体の側面に配置される制御用基板と、前記制御用基板を、前記側面に沿って面内方向に移動させることが可能なスライド機構とを有する空気調和機の室外機を備え、
少なくとも１台の前記室外機の、前記制御用基板が設置される前記側面の前方が塞がるように、複数台の前記室外機が隣接して配置され、
複数台の前記室外機は、互いに前記水配管で連結される空気調和機システム。
【請求項２】
前記装置本体が上面に載置され、前記接続口と前記水配管の配置スペースを確保できる高さを有する架台を更に備え、
を備え、
前記架台は、中空であり、上面に少なくとも２本の直線状の溝が互いに異なる方向に形成されており、
前記装置本体の底面には、前記溝に対応して突出部が設けられている請求項１に記載の空気調和機システム。
【請求項３】
装置本体と、前記装置本体の底面の下部に設けられ、水配管と接続される接続口と、前記装置本体の側面に配置される制御用基板と、前記制御用基板を、前記側面に沿って面内方向に移動させることが可能なスライド機構とを有する空気調和機の室外機と、
前記装置本体が上面に載置され、前記接続口と前記水配管の配置スペースを確保できる高さを有する架台と、
を備え、
前記架台は、中空であり、上面に少なくとも２本の直線状の溝が互いに異なる方向に形成されており、
前記装置本体の底面には、前記溝に対応して突出部が設けられている空気調和機システム。
【発明の詳細な説明】
【技術分野】
【０００１】
本発明は、空気調和機システムに関するものである。
【背景技術】
【０００２】
空気調和機における空冷式ヒートポンプ熱源機などの室外機は、複数台が組み合わされることがあり、互いに配管で連結されている。
特許文献１では、室外機用配管配線収納架台の発明であって、室外機以外の配管養生ダクトなどの据え付けスペースを縮小するため、上部に室外機を設置する架台の内部に配管や配線を設置するという技術が開示されている。また、特許文献２には、室外機を２段積み、すなわち上段と下段に設置するための架台が開示されている。
【先行技術文献】
【特許文献】
【０００３】
【特許文献１】特開平９−４７８７号公報
【特許文献２】実開昭５７−８４７４号公報
【発明の概要】
【発明が解決しようとする課題】
【０００４】
複数台を組み合わせて接続する空冷式ヒートポンプ熱源機は、通常、製品の形態を統一するため、単一の形状のみが用意される。複数台の空冷式ヒートポンプ熱源機は、一定の向きで、互いに平行に直列又は並列に配置されることが多い。
【０００５】
図８に示すように、決められた向きに揃えて配置しなければ、複数の空冷式ヒートポンプ熱源機を配置できない場合、多少スペースに余裕がある場合でも、決められた台数よりも多い台数の機器を配置できない。また、既存の建物に空冷式ヒートポンプ熱源機を新たに設置する場合、既設の他の機器類とのスペースとの兼ね合いを考慮して配置しなければならず、決められた向きにしか配置できない場合は、その形式の空冷式ヒートポンプ熱源機を設置できないというケースが生じる。
【０００６】
本発明は、このような事情に鑑みてなされたものであって、装置本体の向きに関わらず、複数台を自由に配置することが可能な空気調和機システムを提供することを目的とする。
【課題を解決するための手段】
【０００７】
発明者は、複数台の空冷式ヒートポンプ熱源機を配置する場合、効率良く互いに水配管を接続していくこと、かつ、制御基板が設置されている装置本体側面にユーザがアクセスしやすいことが考慮されるため、決められた向きに揃えなければ、複数の空冷式ヒートポンプ熱源機を配置できないということに着目した。
さらに、この理由として、空冷式ヒートポンプ熱源機では、水配管と接続するための接続ポートが装置本体の側面に設けられており、制御用基板が装置本体の複数の側面のうち所定の一つの側面に設置されている点に着目した。例えば、図８に示すように、室外機１の装置本体２における側面２Ｂに接続ポート２４が設けられる場合、接続ポート２４を同一の方向に向けるためには、室外機１を同一方向に揃えて配置する必要がある。
【０００８】
本発明に係る空気調和機の室外機は、装置本体と、前記装置本体の底面の下部に設けられ、水配管と接続される接続口と、前記装置本体の側面に配置される制御用基板と、前記制御用基板を、前記側面に沿って面内方向に移動させることが可能なスライド機構とを備える。
【０００９】
この構成によれば、装置本体と接続される水配管は、装置本体の底面の下部に設けられる接続口と接続されることから、装置本体の向きに関わらず、水配管の延設方向を自由に設定できる。また、制御用基板は、装置本体の側面に沿って面内方向に移動することから、制御用基板に対して手前側、すなわち前方からアクセスすることなく、制御用基板を装置本体から取り出すことができる。すなわち、隣り合う装置本体は、制御用基板が設けられた側面の前方が塞がっている場合でも、制御用基板をスライドさせて取りだすことができるため、制御用基板が設けられた側面を隣りの装置に隣接させるなど、装置本体を自由な方向に設置できる。
【００１０】
また、本発明に係る空気調和機システムは、上述の空気調和機の室外機と、前記装置本体が上面に載置され、前記接続口と前記水配管の配置スペースを確保できる高さを有する架台とを備え、前記架台は、中空であり、上面に少なくとも２本の直線状の溝が互いに異なる方向に形成されており、前記装置本体の底面には、前記溝に対応して突出部が設けられている。
【００１１】
この構成によれば、装置本体の底面に設けられた突出部が、架台の上面の溝にスライドすることによって、装置本体が架台上に固定される。架台の溝は、少なくとも２本の直線状の溝が互いに異なる方向に形成されていることから、装置本体を架台の上面の溝にスライドさせながら、少なくとも２方向から設置したり、取り外したりすることが可能である。したがって、装置本体の向きに関わらず、架台上に装置本体を設置することが容易になる。
また、架台が接続口と水配管の配置スペースを確保できる高さを有することから、架台上に装置本体を設置することで、接続口と水配管を装置本体の底面よりも下部で接続できる。
【発明の効果】
【００１２】
本発明によれば、装置本体の向きに関わらず、複数台を自由に配置することができる。
【図面の簡単な説明】
【００１３】
【図１】本発明の一実施形態に係る空気調和機の室外機を示す斜視図である。
【図２】本発明の一実施形態に係る空気調和機の室外機の接続ポート及び水配管との接続を示す側面図である。
【図３】本発明の一実施形態に係る空気調和機の複数の室外機と水配管を示す底面図である。
【図４】本発明の一実施形態に係る空気調和機の室外機を示す斜視図である。
【図５】本発明の一実施形態に係る空気調和機の複数の室外機を示す平面図である。
【図６】本発明の一実施形態に係る空気調和機システムの架台を示す斜視図である。
【図７】本発明の一実施形態に係る空気調和機の室外機のボルト部と空気調和機システムの架台を示す縦断面図である。
【図８】従来の空気調和機の複数の室外機と水配管を示す斜視図である。
【発明を実施するための形態】
【００１４】
以下に、本発明の一実施形態に係る空気調和機システムについて、図面を参照して説明する。
本実施形態に係る空気調和機システムは、室外機１や、室外機１が設置される架台６等を備える。室外機１は、例えば、空冷式ヒートポンプ熱源機であり、複数台の室外機１が互いに水配管２１で連結されて、組み合わされて使用される。複数台の室外機１は、台数制御やローテーション制御などによって、互いに連携して運転される。
【００１５】
室外機１は、図１に示すように、装置本体２と、装置本体２の底面２Ａの下部に設けられた接続ポート３と、装置本体２の側面２Ｂに配置される制御用基板４と、制御用基板４を移動させることが可能なスライド機構５などを備える。
【００１６】
装置本体２は、圧縮機と、熱交換器と、膨張弁と、ファンなどを内蔵しており、室外機１は、冷媒を用いた冷凍サイクルによって、冷水又は温水を生成できる。生成された冷水又は温水は、接続ポート３に接続された水配管２１へ供給される。室外機１から供給される冷水又は温水は、ファンコイルユニット等の室内機（図示せず。）まで搬送され、室内機で熱交換が終了した冷水又は温水は、室外機１へ戻る。なお、図１等の図面では、水配管２１が１台の室外機１に１本のみ接続されているように示しているが、１台の室外機１に複数個の接続ポート３が設置され、複数本の水配管２１と接続されることが一般的である。
【００１７】
接続ポート３は、図１及び図２に示すように、装置本体２の底面２Ａの下部に設けられ、水配管２１と接続される。接続ポート３は、底面２Ａの中央付近に設置されることが好ましい。これにより、図３に示すように、水配管２１を効率よく設置することができる。
【００１８】
制御用基板４は、板状部材であって、室外機１の運転を制御する制御回路を備える。制御用基板４は、装置本体２の側面２Ｂに配置される。制御用基板４には、図４に示すように、スライド用の取っ手４Ａが設けられてもよい。
【００１９】
スライド機構５は、例えば、レールやベアリングなどであって、装置本体２の側面２Ｂに設けられる。スライド機構５は、制御用基板４を支持しつつ、制御用基板４を装置本体２の側面２Ｂに沿って面内方向に移動させることができる。例えば、図５に示すように、制御用基板４は、スライド機構５によって、装置本体２に対して左右方向若しくは上下方向、又はその両方に移動可能である。
【００２０】
架台６は、装置本体２が上面に載置される。架台６は、接続ポート３と水配管２１の配置スペースを確保できる高さＨ（図１参照）を有する。架台６は、中空であり、上面に少なくとも２本の直線状の溝７が互いに異なる方向に形成される。図１や図６に示す例では、溝７は、架台６の上面にて十字形状に形成されている。
【００２１】
図７に示すように、装置本体２の底面２Ａには、溝７に対応してボルト部８が設けられている。従って、ボルト部８を溝７に合わせたとき、装置本体２は、架台６の上面にて２方向（Ｘ方向とＹ方向）からスライドしながら、設置可能である。なお、図７では、ボルト部８とナット９の組み合わせによって、装置本体２を架台６に固定する例を示している。架台６が中空であることにより、作業員は、架台６の内部でナット９をボルト部８に締結できる。
【００２２】
上述した構成を有する空気調和機システムによれば、装置本体２と接続される水配管２１は、装置本体２の底面２Ａの下部に設けられる接続ポート３と接続される。すなわち、図８に示すような従来例では、接続ポート２４は、装置本体２の側面２Ｂに設けられていた。そのため、水配管２１を効率良く設置するためには、装置本体２の設置方向が制約されていた。一方、本実施形態によれば、図３に示すように、装置本体２の向きに関わらず、水配管２１の延設方向を自由に設定できる
【００２３】
また、本実施形態に係る制御用基板４は、装置本体２の側面２Ｂに沿って面内方向に移動することから、制御用基板４に対して手前側、すなわち前方からアクセスすることなく、制御用基板４を装置本体２から取り出すことができる。すなわち、図５に示すように、隣り合う装置本体２は、制御用基板４が設けられた側面の前方が塞がっている場合（図５の装置本体２−１）でも、制御用基板４をスライドさせて取りだすことができるため、制御用基板４が設けられた側面を隣りの装置本体２に隣接させるなど、装置本体２を自由な方向に設置できる。なお、制御用基板４が設けられた側面の前方が塞がっていない場合（図５の装置本体２−２）は、従来どおり、制御用基板４に対して前方からアクセス可能であるが、制御用基板４をスライドすることが可能な本実施形態を適用してもよい。
【００２４】
更に、本実施形態によれば、装置本体２の底面２Ａに設けられたボルト部８が、架台６の上面の溝７にスライドすることによって、装置本体２が架台６上に固定される。架台６の溝７は、少なくとも２本の直線状の溝７が互いに異なる方向に形成されていることから、装置本体２を架台６の上面の溝７にスライドさせながら、少なくとも２方向から設置したり、取り外したりすることが可能である。したがって、図３や図５に示す配置例のように、装置本体２の向きに関わらず、架台６上に装置本体２を設置することが容易になる。
【００２５】
また、架台６が接続ポート３と水配管２１の配置スペースを確保できる高さＨを有することから、架台６上に装置本体２を設置することで、接続ポート３と水配管２１を装置本体２の底面２Ａよりも下部で接続できる。
上述したとおり、本実施形態によれば、装置本体２の向きに関わらず、複数台の室外機１を自由に配置することができる。
【００２６】
更に、図２に示すように、接続ポート３がフランジ３Ａを有して、水配管２１のフランジ２１Ａと接続され、水配管２１側に開閉バルブ２２を設けておくことで、装置本体２を１台ずつ交換することが可能になる。すなわち、接続ポート３と開閉バルブ２２は、装置本体２ごとに設けられており、交換対象とする装置本体２に対応する開閉バルブ２２のみを閉状態にすることによって、他の装置本体２の運転を停止することなく、交換対象とした装置本体２のみを交換できる。その結果、メンテナンスの際、空気調和機システム全体を停止する必要がない。
【符号の説明】
【００２７】
１  室外機
２  装置本体
２Ａ  底面
２Ｂ  側面
３  接続ポート（接続口）
４  制御用基板
５  スライド機構
６  架台
７  溝
８  ボルト部（突出部）
９  ナット
２１  水配管
２２  開閉バルブ
【図１】
0005536175.tif 000002
【図２】
0005536175.tif 000003
【図３】
0005536175.tif 000004
【図４】
0005536175.tif 000005
【図５】
0005536175.tif 000006
【図６】
0005536175.tif 000007
【図７】
0005536175.tif 000008
【図８】
0005536175.tif 000009